(57)【要約】【課題】背中など手の届きにくいところにある患部に簡単かつ綺麗に湿布を貼れるようにした補助具を提供する。【解決手段】剥離紙を剥がして貼付面を露出させ、かつ拡げた状態に保持する湿布保持面を有する湿布貼り補助具１０であって、湿布保持面１４が、湿布の長手方向における両端部とそれぞれ相対する第１領域１４ａと、第１領域１４ａの間に位置する第２領域１４bを有している。第２領域１４ｂは、湿布保持面１４の中央に位置し、表側の持手面１２と平行な平面を形成している。第１領域１４aは、第２領域１４ｂの両側にそれぞれ位置し、第２領域１４bに対して所定の角度をなす傾斜面を形成している。【選択図】図３
2014108333.tif 000002
【特許請求の範囲】
【請求項１】
湿布を拡げた状態で保持する湿布保持面を有する湿布貼り補助具であって、
前記湿布保持面が、湿布の長手方向における両端部とそれぞれ相対する第１領域と、前記第１領域の間に位置する第２領域を有し、前記第１領域の端部が前記第２領域と前記第１領域の境界部より奥側に後退している、
湿布貼り補助具。
【請求項２】
前記第２領域が平面を形成し、前記第１領域が前記第２領域に対して所定の角度をなす傾斜面を形成している、
請求項１に記載の湿布貼り補助具。
【請求項３】
前記第１領域に湿布の両端部を一時的に固定する手段を備える、
請求項１または２に記載の湿布貼り補助具。
【請求項４】
延長用の取っ手と接合されるボールジョイントを備える、
請求項１乃至３の何れかに記載の湿布貼り補助具。
【発明の詳細な説明】
【技術分野】
【０００１】
本発明は、背中など手の届きにくいところにある患部に他人の手を借りずに湿布を貼れるようにした補助具に関するものである。
【背景技術】
【０００２】
炎症を緩和するために患部に湿布を貼る機会は多い。湿布は片側に粘着剤が施されているため、張り付けるときには両手で拡げるようにして患部に当てないとヨレやシワが生じ、綺麗に貼り付けるのは意外と難しい。特に背中に貼る場合は他人の手を借りるか補助具を使うかしなければ綺麗に貼り付けることはできない。
【０００３】
補助具に関しては、これまでにもいくつかの先行技術が存在する。特許文献１には、湿布の表側を吸引して一時的に固定しておくことで患部に当てがいやすくする技術が開示されている。また特許文献２には、湿布を２枚の板の間に挟み込み、湿布を一端側から徐々に引き出しながら患部に貼り付ける技術が開示されている。さらに特許文献３には、平板の上部に湿布の上部を一時的に固定して湿布を垂れ下げた状態で患部に貼り付ける技術が開示されている。
【先行技術文献】
【特許文献】
【０００４】
【特許文献１】特開２０１１−２５５１３１号公報
【特許文献２】特許第４４０５７６８号公報
【特許文献３】特開２００４−２０９０１１号公報
【発明の概要】
【発明が解決しようとする課題】
【０００５】
これらの先行技術によれば、確かに人手を借りずに背中側に湿布を貼り付けることはできるが、コンプレッサーを用いるなど大がかりな装置を要する（特許文献１）、また、患部に確実に貼り付けるには慣れと技術が必要（特許文献２）といった問題がある。これに対し、特許文献３に開示された技術は非常に簡素であり、湿布を使用することの多い老人も孫の手のような感覚で使用することができるという利点がある。しかし、湿布の上部を固定しているだけでは湿布に向きや角度をつけた場合に湿布にシワやヨレが生じてしまう。また身体の背中側は中央が大きく凹んでいるため、平板では湿布を上手く押さ付けることは難しい。
【０００６】
本発明は、背中など手の届きにくいところにある患部に簡単かつ綺麗に湿布を貼れるようにした補助具を提供することを目的としている。
【課題を解決するための手段】
【０００７】
本発明は、前述した課題を解決するために、以下のような構成の湿布貼り補助具を提供する。
【０００８】
湿布貼り補助具は、第１の態様として、湿布を拡げた状態で保持する湿布保持面を有する湿布貼り補助具であって、前記湿布保持面が、湿布の長手方向における両端部とそれぞれ相対する第１領域と、前記第１領域の間に位置する第２領域を有し、前記第１領域の端部が前記第２領域と前記第１領域の境界部より奥側に後退している。
【０００９】
第２の態様として、前記第２領域が平面を形成し、前記第１領域が前記第２領域に対して所定の角度をなす傾斜面を形成している。
【００１０】
第３の態様として、前記第１領域に湿布の両端部を一時的に固定する手段を備える。
【００１１】
第４の態様として、延長用の取っ手と接合されるボールジョイントを備える。
【発明の効果】
【００１２】
本発明の第１および２の態様による効果としては、剥離紙を剥がして貼付面を露出させ、かつ拡げた状態に保持した湿布の略中央を患部の中心に当てて前後もしくは左右に軽く揺動させるだけで、湿布を貼りたい場所に綺麗に貼り付けることができる。
【００１３】
本発明の第３の態様による効果としては、より小さい接着力で湿布を拡げた状態に維持することができ、患部に貼り付いた湿布の粘着力によって湿布貼り補助具を湿布から容易に離脱させることができる。
【００１４】
本発明の第２の態様による効果としては、手が届きにくいところにある患部に湿布をきれいに貼り付けることができるようになる。
【図面の簡単な説明】
【００１５】
【図１】湿布貼り補助具の構成を示す図
【図２】湿布貼り補助具の構成を示す図
【図３】湿布貼り補助具に湿布を固定した構成を示す図
【図４】湿布貼り補助具の使用例を示す図
【図５】湿布貼り補助具の他の構成を示す図
【図６】湿布貼り補助具の他の使用例を示す図
【図７】湿布貼り補助具の他の使用例を示す図
【発明を実施するための形態】
【００１６】
本発明の実施の形態について、添付した図面を参照しながら説明する。
【００１７】
図１と図２は、湿布貼り補助具（以下、補助具という。）の構成を示している。補助具１０は、表側の持手面１２と裏側の湿布保持面１４を備えている。持手面１２には手を掛けるためのバンド１６が取り付けられている。湿布保持面１４は、湿布を拡げた状態で保持する湿布保持面であり、湿布の長手方向における両端部分とそれぞれ相対する第１領域１４ａと、第１領域１４ａの間に位置し、湿布の中央部分と相対する第２領域１４ｂとで構成されている。第２領域１４ｂは、湿布保持面１４の中央に位置し、表側の持手面１２と平行な平面を形成している。第１領域１４aは、第２領域１４ｂの両側にそれぞれ位置し、第２領域１４bに対して角度αをなす傾斜面を形成している。
【００１８】
第１領域１４aの端部中央には、湿布の両端部を一時的に固定するための接着部１８が設けられている。接着部１８は、両面テープの一方の接着面を第１領域１４aに貼り付け、他方の接着面を露出した状態にしたものである。この露出した接着面が湿布の長手方向における両端部を接着し、図３に示すように、湿布２０を補助具１０の湿布保持面１４の全面に拡げた状態で一時的に固定する。湿布を固定する力は両面テープの面積を変えることによって簡単に調節することができる。
【００１９】
湿布２０の貼り方は次の通りである。最初に、湿布保持面１４に湿布２０を固定し、剥離紙を剥がしておく。湿布２０は、粘着面２２を表面にして裏面を接着部１８に接着し、補助具１０に固定する。その後、粘着面２２を保護する剥離紙（図示せず）を剥がして粘着面２２を露出させる。湿布２０を拡げた状態に固定してから剥離紙を剥がすようにしているため、粘着面２２同士が引っ付いたり、シワやヨレが生じたりすることが起きない。
【００２０】
ベルト１６に人差し指から小指までの４本の指を通して、４本の指と親指で持手面１２を挟むようにして補助具１０を保持し、図４に示すように湿布保持面１４を患部に押し当てる。湿布保持面１４は中央が盛り上がった形状であるため、最初に湿布２０の中央部分が患部に当たり、そのまま補助具１０を前後もしくは左右に揺らすことで湿布２０の両端部が患部もしくは患部の周辺に当たる。このとき、身体に最初に当たったの一方の端部が粘着面２２の粘着力によって接着部１８から剥がれ、患部に貼り付く。補助具１０を反対側に揺り動かすことで、他方の端部も同様に接着部１８から剥がれ、患部に貼り付く。これにより湿布２０が補助具１０から完全に剥がれ、身体の患部に貼り付く。その後も補助具１０を押し付けたり揺り動かしたりしながら湿布２０に力を加えることで、湿布２０の内側の気泡を除去したり、貼り付きの状態が良くないところを直したり、微細なシワやヨレを延ばしたりして、より密着性を高めることができる。
【００２１】
補助具１０には、手が届きにくいところにも湿布２０を貼り付けることができるように、図５と図６に示すような延長用の取っ手３０を装着することが可能である。取っ手３０と補助具１０の接合部分にはボールジョイント３２を用い、湿布２０を貼り付ける向きや方向に高い自由度をもたせ、患部の状態に応じて適切に湿布２０の貼り付けができるようにしている。
【００２２】
補助具１０を用いると、湿布２０を患部に綺麗に貼り付けられる反面、密着性が高くなりすぎるあまり、使用後に剥ぎ取りにくくなるという問題が生じることがある。そのため、図７に示すように取っ手３０の先端をボールジョイント３２から外し、代わりにゴムキャップ３４を装着することができるようになっている。ゴムキャップ３４を湿布２０の角に当てて擦り動かすことで湿布２０を捲り取ることができる。
【符号の説明】
【００２３】
１０    湿布貼り補助具
１２    持手面
１４    湿布保持面
１４ａ  第１領域
１４ｂ  第２領域
１６    バンド
１８    接着部
２０    湿布
２２    粘着面
３０    取っ手
３２    ボールジョイント
３４    ゴムキャップ
【図１】
2014108333.tif 000003
【図２】
2014108333.tif 000004
【図３】
2014108333.tif 000005
【図４】
2014108333.tif 000006
【図５】
2014108333.tif 000007
【図６】
2014108333.tif 000008
【図７】
2014108333.tif 000009